(57)【特許請求の範囲】
【請求項１】
複数の柵用支柱と、その頂部間に架設される手摺ビーム、およびその手摺ビームの端部を支持するとともに支柱の頂部に載置されて固定される継手とから構成され、柵用支柱は支柱本体の頂部に球面付キャップが嵌挿され、前記球面付キャップは部分的に球面が形成されると共に頂部に平坦部が形成され、該平坦部に継手を固定させるための孔が設けられ、前記継手はこの球面付キャップの部分的な球面に沿って摺動可能な球面状となされた取付部とそれに連接して突設されたビーム受け部とからなり、この継手の取付部には長孔が形成されて支柱の頂部に対して角度可変にボルトによって固定されるようになされ、また継手のビーム受け部は手摺ビームの一部に沿うように形成されて、手摺ビームの端部を支持するのとともにその手摺ビームの端部を固定するための長孔が形成されてボルトによって手摺ビームの端部が固定されるようになされた手摺ビーム柵用手摺ビーム固定構造。
【請求項２】
複数の柵用支柱と、その頂部間に架設される手摺ビーム、およびその手摺ビームの端部を支持するとともに支柱の頂部に載置されて固定される継手とから構成され、柵用支柱は支柱本体の頂部に少なくとも部分的に球面が形成された球面付キャップが嵌挿され、前記継手はこの球面付キャップの部分的な球面に沿って摺動可能な球面状となされた取付部とそれに連接して突設されたビーム受け部とからなり、この継手の取付部には長孔が形成されて支柱の頂部に対して角度可変にボルトによって固定されるようになされ、また継手のビーム受け部は手摺ビームの一部に沿うように形成されて、手摺ビームの端部を支持するのとともにその手摺ビームの端部を固定するための長孔が形成されてボルトによって手摺ビームの端部が固定されるようになされた柵用手摺ビーム固定構造において、手摺ビームの端部に嵌着される合成樹脂製キャップの内側の中心部より手摺ビームの延設方向へと軸が突設され、その軸に軸取付部と継手取付部とからなる継手補助金具の軸取付部が嵌持され、さらにその上から軸に止め具が嵌挿されてキャップの軸から前記継手補助金具が抜けないように固定されされており、この止め具は外形先端部に形成されたビーム係止片間の寸法が手摺ビームの内径寸法よりもわずかに長くなされ、また止め具には合成樹脂製のキャップの軸の軸径よりも大きくなされた孔が形成されその孔縁から軸係止片が突設されて止め具を軸に嵌挿させた際にこの軸係止片が軸に係止され、この止め具によって固定された継手補助金具付きキャップが手摺ビームの端部に嵌挿された際にバネ性の反発弾性によって止め具の外形先端部のビーム係止片が手摺ビームの内壁に係止されて固定され、継手補助金具の継手取付部が継手のビーム受け部にボルト止めされてなる柵用手摺ビーム固定構造。
【発明の詳細な説明】
【０００１】
【発明の属する技術分野】
本発明は、防護柵の支柱頂部に取り付けられる手摺ビームの接続構造に関し、傾斜地に好適に用いられるとともに、同時に水平面方向の屈曲に対しても自在に適応可能な固定構造に関する。
【０００２】
【従来の技術】
従来、防護柵の支柱頂部に取り付けられる手摺ビームの接続構造については、１；支柱頂部に配置された球状部材に回動自在に嵌合された固定具に手摺パイプが接続される形態〔例えば、実開平７−１６８６４，特開平８−１５８３３３，特開平９−１５１４２８等に開示〕、２；支柱頂部側のキャップと手摺ビームを支持する受け具とをそれぞれ互いに噛み合う継手で構成しボルト軸で接続させ、かつそのボルト軸を中心として回動自在に接続される形態〔例えば、特開平９−１５１４２９，特開平１０−１８２５２，特開平１０−１８２５３等に開示〕、３；支柱の頂部に配置された球状キャップの上に回動自在に固定される受け具を介して手摺パイプが接続される形態〔例えば、特開平８−３０２６３２，特開平１０−１８２５１等に開示〕に大別されるそれぞれの方法ごとに、防護柵が設置される地形の傾斜や平面的なレイアウトの屈曲に対して対応するための各工夫がなされているものの、設置しようとする地形が常に一定の勾配を保っているとは限らず、上記の各従来技術では傾斜角度そのものが変化している場合には限界があって対応できず、しかも傾斜角度の変化にさらに平面レイアウト上での屈曲が加わった場合には対応できずに、変化する傾斜角度毎に余分に柱を建てて配置がなされるなど煩雑な配置設計が行われてきた。
【０００３】
そして、前記各従来技術の各接合部機構は構造が複雑で組み立ても煩雑であり、部品としては鋳物等のコストのかかるものが主体で、また例えば特開平１０−１８２５１のように比較的シンプルな構造のものの場合にはキャップと固定金具との接合部分が点的な接合で安定性に欠けるという問題を有している。
【０００４】
また、前記各従来技術においては相隣り合う手摺ビームがほぼ正確な寸法関係に接続されるように設計がなされており、たとえ傾斜角度の変化が継手等部品の設計範囲内あったとしても傾斜などの条件下では標準設計とは異なる誤差寸法が生じてしまい、手摺ビームの長さ方向のズレによって、施工現場での寸法調整等多大な工数を要して施工性の悪さが問題となっている。また、変化する傾斜角度毎にビームを分断して配置させたとしても、従来よりビーム端部のキャップはビーム外形に外嵌されたり内形に挿嵌されるだけで外れ易く、あるいは例えば実公平５−３１３５６号公報開示のような金属製の蓋体の場合には、側面片に形成された突起部が同じく金属製のパイプ材の内壁面に極めて僅か（０．数ミリ程度）係止されているだけであり、防護柵のような振動、自然等過酷な条件下において接触等の衝撃によって外れてしまうというような問題が起こっている。
【０００５】
【発明が解決しようとする課題】
本発明は、かかる従来の防護柵の支柱頂部に取り付けられる手摺ビームの接続構造の傾斜等の変動する設置条件からくる諸問題を解消するために、支柱頂部と継手との接続を球面どおし噛み合う形態の接合によって安定したものとしつつ、部品を鋼板のプレス成型での生産を可能として低コスト品を実現し、また用途上から１本の支柱の頂部に対して接続される手摺ビームそれぞれの端部毎に単独で支柱に対して水平面、垂直面方向いずれの方向に対しても角度自在に接続が可能な接続構造とするものであり、さらにそれぞれの手摺ビーム端部を固定するのと同時にそのキャップの外れ防止をも兼ねた構造とするものである。
【０００６】
【課題を解決するための手段】
上記課題を解決するために、本発明柵用手摺ビーム固定構造は、複数の柵用支柱と、その頂部間に架設される手摺ビーム、およびその手摺ビームの端部を支持するとともに支柱の頂部に載置されて固定される継手とから構成され、柵用支柱は支柱本体の頂部に球面付キャップが嵌挿され、前記球面付キャップは部分的に球面が形成されると共に頂部に平坦部が形成され、該平坦部に継手を固定させるための孔が設けられ、前記継手はこの球面付キャップの部分的な球面に沿って摺動可能な球面状となされた取付部とそれに連接して突設されたビーム受け部とからなり、この継手の取付部には長孔が形成されて支柱の頂部に対して角度可変にボルトによって固定されるようになされ、また継手のビーム受け部は手摺ビームの一部に沿うように形成されて、手摺ビームの端部を支持するのとともにその手摺ビームの端部を固定するための長孔が形成されてボルトによって手摺ビームの端部が固定されるようになされたものである。
【０００７】
この発明によって、柵用支柱は支柱本体の頂部に形成された球面付キャップの球面と手摺ビームを支える継手の取付部に形成された球面とが球状に摺動されて接続がなされ、それぞれの球面どおしが重ね合わせられた状態で固定されるため安定して取付けられ、接続の際は周方向と上下方向のいずれにも角度可変なことから地形の傾斜や平面的なレイアウトの屈曲に対して自在に角度調節をしながら取付けができて施工性が良く、しかも球面付キャップと継手の構造がシンプルであるため金属板のプレス成型での部品製作が可能となりコストが安価ですむ。
【０００８】
また、本発明柵用手摺ビーム固定構造は、継手の取付部から一方向にのみビーム受け部が突設されるとともに、この一方向にのみビーム受け部が突設された２つの継手の取付部が重ね合わせられ、互いに摺動可能に支柱の球面付キャップに載置されて固定されるようになされたものである。
【０００９】
この発明によって、柵用支柱は支柱本体の頂部に固定される２つの継手ともにそれぞれが独立して個別に周方向と上下方向のいずれにも角度可変なことから、柵の設置場所が均等な傾斜地ではなく傾斜角度そのものが変化している場合や、また設置場所の傾斜に平面レイアウト上の屈曲までも加わった場合にもまったく自在に適用可能である。
【００１０】
さらに、本発明柵用手摺ビーム固定構造は、複数の柵用支柱と、その頂部間に架設される手摺ビーム、およびその手摺ビームの端部を支持するとともに支柱の頂部に載置されて固定される継手とから構成され、柵用支柱は支柱本体の頂部に少なくとも部分的に球面が形成された球面付キャップが嵌挿され、前記継手はこの球面付キャップの部分的な球面に沿って摺動可能な球面状となされた取付部とそれに連接して突設されたビーム受け部とからなり、この継手の取付部には長孔が形成されて支柱の頂部に対して角度可変にボルトによって固定されるようになされ、また継手のビーム受け部は手摺ビームの一部に沿うように形成されて、手摺ビームの端部を支持するのとともにその手摺ビームの端部を固定するための長孔が形成されてボルトによって手摺ビームの端部が固定されるようになされた柵用手摺ビーム固定構造において、本発明柵用手摺ビーム固定構造において、手摺ビームの端部に嵌着される合成樹脂製キャップの内側の中心部より手摺ビームの延設方向へと軸が突設され、その軸に軸取付部と継手取付部とからなる継手補助金具の軸取付部が嵌持され、さらにその上から軸に止め具が嵌挿されてキャップの軸から前記継手補助金具が抜けないように固定されされており、この止め具は外形先端部に形成されたビーム係止片間の寸法が手摺ビームの内径寸法よりもわずかに長くなされ、また止め具は合成樹脂製のキャップの軸の軸径よりも大きくなされた孔が形成されその孔縁から軸係止片が突設されて止め具を軸に嵌挿させた際にこの軸係止片が軸に係止され、この止め具によって固定された継手補助金具付きキャップが手摺ビームの端部に嵌挿された際にバネ性の反発弾性によって止め具の外形先端部のビーム係止片が手摺ビームの内壁に係止されて固定され、継手補助金具の継手取付部が継手のビーム受け部にボルト止めされてなるものである。
【００１１】
この発明によって、柵用支柱の支柱本体の頂部において相隣り合う手摺りビーム傾斜角度の変化等の条件下で生じる標準設計とは異なる誤差寸法を設置現場で調整するというような煩雑な作業の必要な施工を行わなくてもよく、また従来は外れ易かった手摺りビームの端部キャップを継手補助金具を介して手摺りビームの端部を継手に固定するのと同時に確実に固定することでキャップの脱落という問題が発生することがなくて好ましい。
【００１２】
【発明の実施の形態】
以下、本発明柵用手摺ビーム固定構造の実施形態を、図面を参照しながら説明する。
図１は本発明実施形態の例を示す柵１の側面図、図２は本発明に係る柵用支柱１０の支柱本体頂部に少なくとも部分的に球面１１が形成された球面付キャップ１２が嵌挿され、その球面付キャップ１２の頂部上に載置されて固定される継手２ａ，２ｂを介して手摺ビーム３の端部が固定される構成を示す斜視図である。また、図３は手摺りビーム３の端部に嵌着される合成樹脂製キャップ４に継手補助金具５と止め具６が組み立てられる様子を表した斜視図（ａ）、およびそれらが組み立てられてビーム３の端部と継手補助金具５のビーム受け部２２が同時に固定された様子を表す断面図（ｂ）である。そして、図４は図２（ｂ），図３の構成による図１の実施形態例の要部Ａ，Ｂ，Ｃを示す組み立て断面図である。
【００１３】
図１において、適宜間隔に立設された複数の柵用支柱１０間にビーム継手８を介してビーム７が架設され、柵用支柱１０の頂部間に架設される手摺ビーム３は柵用支柱１０の支柱本体頂部に部分的に球面が形成された球面付キャップ１２が嵌挿され、図２に表すような構成で球面付キャップ１２の球面１１に沿って摺動可能な球面状との取付部２１が形成された継手２が支柱の頂部に載置されたうえ固定され、この取付部２１に連接して突設された手摺ビームの一部に沿うように形成されたビーム受け部２２により手摺ビーム３の端部が支持されるとともに、図３に表すような構成となされたビーム３の端部の固定と同時に止め具６により固定された継手補助金具５付きキャップ４が止め具６のバネ性の反発弾性によりその外形先端部のビーム係止片６１が手摺ビーム３内壁に係止されて固定され、継手補助金具５の継手取付部５２に溶接固定されたナット５３に対し、ビーム受け部２２，長孔３１を経てボルト２３によって固定されるものである。
【００１４】
なお、図１において、複数の柵用支柱１０の頂部間に架設される手摺ビーム３の下側にビーム継手８を介して柵体としてビーム７が架設された実施形態の例を示したが、柵体として上下ビーム間の縦方向に多数の縦桟がさし渡されて柵体となされた〔縦格子柵パネル〕や、柵体として金属等線材による網目状となされた〔メッシュフェンスパネル〕、その他プラスチック，金属，無機材料など面材が用いられた〔パネル〕を柵体とするものなどが多様に用いられていてもよい。
【００１５】
ここにおいて、柵用支柱１０や手摺りビーム３としては、鋼製〔鉄、ステンレススチール〕やアルミニウム等金属製管体が用いられ、表面はメッキや高耐候性ポリエステル塗装、その他無機系表面処理や合成樹脂被覆がされた複合成形管が用いられる等の多様な仕上げ処理がなされたものが用いられ、また継手２としては一般には鋼製板材によるプレス成形品や金属材料の鋳造による成型品にメッキや高耐候性ポリエステル塗装、その他無機系表面処理がなされたもの等が好適に用いられるが、鋼製の板材によるプレス成形品による場合には材料単価も安価でかつ成形が容易なため部品コストを低く押さえることができて好ましい。
【００１６】
また、柵用支柱１０の支柱本体頂部に嵌挿される球面付キャップ１２としては、柵用支柱１０を構成する材料と同じ材料のもので製作されるなど、鋼製〔鉄、ステンレススチール〕やアルミニウム等の金属の板材をプレス成形や絞り加工によって安価に成形され、あるいは鋳物製，鋳造品が用いられてもよい。
本実施形態例において、球面付キャップ１２は１．６mm厚さの冷間圧延鋼材を用い柵用支柱１０の支柱本体の外形寸法に合わせて６８mmφから一段３０mmφの直径に絞り２０mm立ち上げた先端に約２０mmＲ（半径）の曲率で８mmの部分的な曲面による球面１１を形成し、頂部に２２mmφの平坦部を形成させてその中心に８．５mmφの孔を設け、頂部の裏側から中心を合わせてＭ８mmの埋込ナット１４を溶接固定し、継手２を固定させるための固定ボルト１３の螺入口を設けた。
なお、球面付キャップ１２頂部に設けた部分的な曲面は本実施形態例において約２０mmＲ（半径）の曲率で８mmの間隔にわたって形成させたが、曲率や間隔は必ずしも厳密なものでなくてもよく、球面状（本実施形態の例では約１５mmＲの半径の曲率）に形成された継手２の取付部２１の球状部分が載置され摺動可能に接続可能なものであればわずかに面取り程度のものであってもかまわない。
【００１７】
また、継手２は図２に表す如く球面付キャップ１２頂部の部分的な球面１１に沿って摺動可能な球面状の取付部２１とそれに連接して突設されたビーム受け部２２とから構成し、継手２の取付部２１には長孔２１１が形成されて支柱１０の頂部に対して角度可変に固定ボルト１３により固定されるようになされ、さらに継手２のビーム受け部２２は手摺ビーム３の一部に沿うように形成されており、手摺ビーム３の端部を支持するとともにその手摺ビーム３の端部を固定するための長孔２２１が形成されて手摺ビーム３の端部に設けられた長孔３１を介して、後述する継手補助金具５の継手取付部５２に固定されているナット５３に螺入される取付ボルト２３によって固定されるようになされている。
なお、球面状の取付部２１は本実施形態の例では、１．６mm厚さの冷間圧延鋼材を用いたプレス成型で製作し、取付部２１の外径寸法を３０mmφ（球状部寸法は約１５mmＲの半径の曲率）とし、長孔２１１は１０×２５mmのものを設けた。そして、上述した各々寸法によって本実施形態の例では、水平状態から斜め上，下方にそれぞれ２５度までの傾斜角度範囲で手摺ビームを架設可能にした。
【００１８】
さらに、継手２の取付部２１に連接して突設されたビーム受け部２２は、図２（ａ）に表すように取付部２１を中心として直線方向に２ヵ所形成させて直線部に適用することにより手摺りビーム３を一直線に架設させる形態のもの、および（ｂ）に表すように取付部２１から一方向にのみ突設させた形態のもの２箇からなる継手の取付部２１を重ね合わせ互いに摺動可能に支柱の球面付キャップ１２上に載置・固定するようにして支柱本体の頂部に固定される２つの継手２が共にそれぞれが独立して個別に周方向と上下方向のいずれにも角度可変なことから、柵の設置場所が均等な傾斜地ではなく傾斜角度そのものが変化している場合や、また傾斜角度の変化に平面レイアウト上の屈曲までも加わった場合でもまったく自在に適用可能な形態のもの、の（ａ），（ｂ）両形態が適宜用いられる。
【００１９】
続いて、図３を参照しながら手摺ビーム３の端部をカバーするキャップの構成および取付け構造について説明を行う。
図３（ａ）において、手摺ビーム３端部に嵌着される合成樹脂製キャップ４の内側の中心部より手摺ビームの延設方向へと軸４１が突設され、その軸に対して軸取付部５１と継手取付部５２とからなる継手補助金具５の軸取付部５１が嵌持され、さらにその上から軸４１に止め具６が嵌挿されてキャップの軸から前記の継手補助金具５が抜けないように固定されており、この止め具６は外形先端部に形成されたビーム係止片６１間の寸法が手摺ビーム３の内径寸法よりもわずかに長くなされ、合成樹脂製のキャップ４の軸４１の軸径より大きくなされた孔６２が形成されその孔縁から軸係止片６３が突設されて止め具６を軸４１に嵌挿させた際にこの軸係止片６３が軸４１に係止され、この止め具６によって固定された継手補助金具５付きのキャップ４が手摺ビームの端部に嵌挿された際にバネ性の反発弾性により止め具６の外形先端部のビーム係止片６１が手摺ビームの内壁に係止されて固定され、継手補助金具５の継手取付部５２が継手２のビーム受け部２２にボルト止めされて固定されている。
【００２０】
ここで、止め具６の孔６２の孔縁から突設された軸係止片６３の先端部分間の寸法は合成樹脂製キャップ４の軸４１に対して小さくなされ、かつその先端部はこの止め具６の軸４１への嵌挿方向と逆方向に少し傾斜させ、いったん止め具６を軸４１に嵌挿してしまえば逆方向、すなわちキャップを抜き取る方向への力がかかったとしても止め具６の軸係止片６３の先端部分が合成樹脂製の軸４１に突きささるようになって益々抜き取り難くなって強固に固定される。したがって、この止め具６と合成樹脂製キャップ４との間に軸取付部５１が挟まって軸４１に嵌着された状態の継手補助金具５からキャップ４が外れ落ちる心配はなく、また継手補助金具５のもう一端の継手取付部５２にはナット５３が溶接されていて、このナット５３に対し継手２のビーム受け部の長孔２２１および手摺りビーム３の端部に開けられた長孔３１のそれぞれを貫通させて取付ボルト２３による固定がなされ、柵用支柱の支柱本体頂部で相隣り合う手摺りビーム傾斜角度の変化等の条件下で生じる誤差寸法を設置現場で調整するような煩雑な施工を行わなくてよく、また従来外れ易かった手摺りビームの端部キャップ４を継手補助金具５を介して手摺りビーム３の端部を継手２に固定するのと同時に確実固定することによってキャップの脱落という問題をも解消されるわけである。
【００２１】
かくして、本発明に係る柵用手摺ビーム固定構造により設置された柵１を表す図１の要部Ａ，Ｂ，Ｃを示したものが、それぞれ図４のＡ，Ｂ，Ｃである。
【００２２】
最後に、前述した図２（ｂ）の如く取付部２１から連接して突設されたビーム受け部２２を一方向にのみ突設させた形態の継手２を２箇重ねて用いる場合の、部品設計について模式図で示したものが図５である。
即ち、かかる形態の場合において架設された手摺りビーム３の上側面が正確に同じ高さとなって連なるように継手２のビーム受け部２２と取付部２１の間の高さ寸法を少なくともこの継手２の板材の厚さ寸法分異なるもの２種類が必要であり、また各々のビーム受け部２２の水平面に対する角度を十分に確保するために本実施形態例においては図５（ａ）に示すようにビーム受け部２２と取付部２１下端の設定角度を１つは平行としながら、もう一方については約２０度程度曲折させた一対の継手２，２をセットで用いることで（ｂ）に示すように、水平状態から斜め上方，下方にそれぞれ２５度の傾斜角度をもって手摺ビームを架設可能に設計した。
【００２３】
【発明の効果】
以上、詳述した如く、本発明柵用手摺ビーム固定構造は、複数の柵用支柱と、その頂部間に架設される手摺ビーム、およびその手摺ビームの端部を支持するとともに支柱の頂部に載置されて固定される継手とから構成され、柵用支柱は支柱本体の頂部に少なくとも部分的に球面が形成された球面付キャップが嵌挿され、前記継手はこの球面付キャップの部分的な球面に沿って摺動可能な球面状となされた取付部とそれに連接して突設されたビーム受け部とからなり、この継手の取付部には長孔が形成されて支柱の頂部に対して角度可変にボルトによって固定されるようになされ、さらに継手のビーム受け部は手摺ビームの一部に沿うように形成され、手摺ビームの端部を支持するとともにその手摺ビームの端部を固定するための長孔が形成されてボルトによって手摺ビームの端部が固定されるようになされたもので、柵用支柱は支柱本体頂部に形成された球面付キャップの球面と手摺ビームを支える継手の取付部に形成された球面とが球状に摺動し接続され、それぞれの球面どおしが重ね合わせられた状態で固定されるため安定して取付けられ、接続の際周方向と上下方向のいずれにも角度可変なことから地形の傾斜や平面的なレイアウトの屈曲に対して自在に角度調節ができて施工性が良く、しかも球面付キャップと継手の構造がシンプルで部品製作のコストが安価にすむ。
【００２４】
そしてまた、本発明柵用手摺ビーム固定構造は、継手の取付部から一方向にのみビーム受け部が突設されるとともに、この一方向にのみビーム受け部が突設された２つの継手の取付部が重ね合わせられて互いに摺動可能に支柱の球面付キャップに載置されて固定されるようになされた場合には、柵用支柱は支柱本体の頂部に固定される２つの継手ともにそれぞれが独立して個別に周方向と上下方向のいずれにも角度可変なことから、柵の設置場所が均等な傾斜地ではなく傾斜角度そのものが変化している場合や、また平面レイアウト上の屈曲までも加わった際もまったく自在に適用可能であり、立地条件を選ぶことなく設置可能である。
【００２５】
さらに、本発明柵用手摺ビーム固定構造において、手摺ビームの端部に嵌着される合成樹脂製キャップの内側の中心部より手摺ビームの延設方向へと軸が突設され、その軸に軸取付部と継手取付部とからなる継手補助金具の軸取付部が嵌持され、さらにその上から軸に止め具が嵌挿されてキャップの軸から前記継手補助金具が抜けないように固定されされており、この止め具は外形先端部に形成されたビーム係止片間の寸法が手摺ビームの内径寸法よりわずかに長くなされ、合成樹脂製のキャップの軸の軸径よりも大きく形成なされた孔の孔縁から軸係止片が突設され止め具を軸に嵌挿させた際この軸係止片が軸に係止され、この止め具に固定された継手補助金具付きキャップが手摺ビームの端部に嵌挿された際バネ性の反発弾性により止め具の外形先端部のビーム係止片が手摺ビームの内壁に係止され、継手補助金具の継手取付部が継手のビーム受け部にボルト止めされるもので、柵用支柱の支柱本体の頂部において相隣り合う手摺りビーム傾斜角度の変化などの条件下で生じる異なる誤差寸法を設置現場で調整するというような煩雑な施工を行わなくてもよく、また従来は外れ易かった手摺りビームの端部キャップを継手補助金具を介して手摺りビームの端部を継手に固定するのと同時に確実固定することでキャップの脱落という問題が起きる心配がなく好ましい。
【図面の簡単な説明】
【図１】本発明実施形態の例を示す柵１の側面図である。
【図２】本発明に係る柵用支柱の支柱本体頂部に固定される継手の取付形態を示す斜視図である。
【図３】本発明に係る手摺りビームの端部に嵌着される合成樹脂製キャップに継手補助金具と止め具が組み立てられる部品構成を表した斜視図（ａ）、および組み立てられた様子を表す断面図（ｂ）である。
【図４】図１の実施形態例の要部Ａ，Ｂ，Ｃを示す組み立て断面である。
【図５】本発明実施形態の例の、２箇使いでの継手の組み立て構成を説明する模式図である。
【符号の説明】
１      柵
１０    柵用支柱
１１    球面
１２    球面付キャップ
１３    固定ボルト
１４    埋込ナット
２      継手
２１    取付部
２２    ビーム受け部
２３    取付ボルト
２１１  長孔（ビーム受け部）
２２１  長孔（取付部）
３      手摺ビーム
３１    長孔（手摺ビーム）
４      キャップ
４１    軸
５      継手補助金具
５１    軸取付部
５２    継手取付部
６      止め具
６１    ビーム係止片
６２    孔
６３    軸係止片
７      ビーム
８      ビーム継手
【図１】
0004112831.tif 000002
【図２】
0004112831.tif 000003
【図３】
0004112831.tif 000004
【図４】
0004112831.tif 000005
【図５】
0004112831.tif 000006